(57)【要約】      （修正有）【課題】電位治療器に用いる施術具に関し、人体に対して安全な導電性の端子を備え、かつ容易に製作できる施術具を提供する。【解決手段】施術具２の基布１０の表面から、導電性の突起６が多数突出し、多数の突起が互いに電気的に接続されている。基布の裏面に炭素糸４が配置され、炭素糸が基布の裏面から表面へ貫通し、かつ基布の表面で炭素糸が互いに重ねられて突起を構成している。【効果】刺繍により炭素糸による突起を簡単に設けることができる。【選択図】図１
2015136489.tif 000002
【特許請求の範囲】
【請求項１】
基布の表面から導電性の多数の突起を突出させると共に、前記多数の突起を互いに電気的に接続して所定の電位を加えるようにした施術具において、
基布の裏面から表面へ炭素糸が貫通し、かつ基布の表面で炭素糸が互いに重ねられて前記突起を構成していることを特徴とする、施術具。
【請求項２】
前記突起は炭素糸の結び目から成ることを特徴とする、請求項１の施術具。
【請求項３】
前記基布が導電性の繊維を含むか、もしくは前記基布の裏面に導電性の層が設けられていることを特徴とする、請求項１または２の施術具
【発明の詳細な説明】
【技術分野】
【０００１】
この発明は電位治療器に用いる施術具に関する。
【背景技術】
【０００２】
実開平４−８３３４６はヘッドギア状の施術具を開示し、ヘッドギアに配線が施され、配線に導電性の端子が取り付けられて、人の頭皮に接触するようにされている。
【先行技術文献】
【特許文献】
【０００３】
【特許文献１】実開平４−８３３４６
【発明の概要】
【発明が解決しようとする課題】
【０００４】
しかしながら金属の端子を用いると、金属アレルギー等の問題がある。施術具は人体に電位を加えるものなので、金属の端子を使うことは好ましくない。そこで金属を用いずに、頭皮等に接触する導電性の端子を設けることが好ましい。また端子は複数個有るので、端子をつなぐように施術具に配線を施すことは大変であり、さらに端子を金属の配線で接続すると施術具が厚くなり、ゴワゴワとする原因ともなる。
【０００５】
この発明の課題は、人体に対して安全な導電性の端子を備え、かつ容易に製作できる施術具を提供することにある。
【課題を解決するための手段】
【０００６】
この発明は、基布の表面から導電性の多数の突起を突出させると共に、前記多数の突起を互いに電気的に接続して所定の電位を加えるようにした施術具において、
基布の裏面から表面へ炭素糸が貫通し、かつ基布の表面で炭素糸が互いに重ねられて前記突起を構成していることを特徴とする。
【０００７】
好ましくは、突起は炭素糸の結び目から成る。また好ましくは、基布が導電性の繊維を含むか、もしくは基布の裏面に導電性の層が設けられている。
【０００８】
この発明では、炭素糸を基布の表面で重ねて、基布から突出する導電性の突起とする。この突起は手刺繍による炭素糸の結び目、言い換えると炭素糸のノットあるいはステッチにより製作でき、また機械刺繍でのサテンに類似した技法でも製作できる。ノットの例として、フレンチノットとジャーマンノットとを示し、ステッチの例としてバリオンステッチを示す。炭素糸は炭素繊維から成っても、あるいは炭素繊維に木綿、麻、絹等の天然繊維を混紡したものでも、炭素繊維にナイロン、ポリエステル等の合成繊維を混紡したものでも良い。施術具を流れる電流は極く僅かなので、炭素繊維以外の繊維を混紡して導電性が低下しても使用でき、混紡する繊維は衣類として用いられてきたものなので、安全である。以上のように、この発明では炭素糸による突起を刺繍の技法で簡単に作ることができ、炭素糸を用いると金属アレルギー等の問題が生じない。
【０００９】
炭素糸自体を基布の裏面の配線としても良いが、そうすると多数の突起が１本の炭素糸により直列に接続されていることに成りやすい。すると１個所でも炭素糸に導電性の不良が生じると、施術具に問題が生じる。これに対して基布自体に導電性を付与する、あるいは基布の裏面に導電性の中間層を設けると、炭素糸により突起を互いに接続するのではなくなり、施術具の信頼性が増す。
【図面の簡単な説明】
【００１０】
【図１】実施例の施術具の要部断面図
【図２】変形例の施術具の要部断面図
【図３】フレンチノッチを解いて示す図
【図４】ジャーマンノットを解いて示す図
【図５】バリオンステッチを示す図
【図６】機械刺繍による突起を示す図
【図７】図６の突起の平面図
【図８】施術具の全体像と電位治療器本体とを示す図
【図９】施術具での電気的配線を示す図
【発明を実施するための形態】
【００１１】
以下に、本願発明の最適実施例を示す。本願発明の実施に際しては、当業者の常識及び先行技術の開示に従い、実施例を適宜に変更できる。
【実施例】
【００１２】
図１〜図９に実施例の施術具２とその変形を示す。図１において、施術具２は、丈夫な布から成る刺繍の基布１０と、スポンジ、布等の可撓性で弾力性のある中間層１２と、絶縁性の裏地１４とを備え、裏地１４と中間層１２はなくても良く、特に裏地１４はなくても良い。４は炭素糸で、炭素繊維、あるいは炭素繊維を天然もしくは合成の繊維と混紡した太手の糸である。炭素糸４は中間層１２と裏地１４との間、あるいは図１に鎖線で示すように、基布１０と中間層１２との間に配置されている。炭素糸４には、ノット、ステッチ等の結び目から成る突起６が多数設けられ、固定部８で基布１０を裏面から表面へ貫通して、基布１０に固定されている。炭素糸４は一筆書き状に基布１０の裏面に配置され、例えば１本の炭素糸に突起６が多数設けられ、突起６，６との間で固定部８により基布１０に固定されている。１６はウレタンゴム等の硬質のリングで、リング中央の孔を炭素糸４が通り、突起６の台座の役割をする。そしてリング１６は突起６の抜け止めとして作用し、また突起６の底部を支持して、突起６が頭皮等の人の皮膚に適当な圧力を加えることができるようにする。
【００１３】
なお基布１０を硬くすると、リング１６は不要になる。また炭素糸４が施術具２の表面に露出することをいとわなければ、裏地１４は不要になる。中間層１２を炭素糸を含む布で構成し、あるいは基布１０を炭素糸を含む布で構成すると、多数の突起６を炭素糸４により直列に配線するだけでなく、基布１０あるいは中間層１２によっても電気的に接続することができる。従って炭素糸４の一部が仮に接続不良を起こしても、施術具の性能に影響しなくなる。中間層１２をウレタンゴムのスポンジ等で構成し、炭素粉等の導電性材料を混入する、あるいは中間層１２をニッケルメッキ等を施した導電性の糸を含む布で構成しても、導電性を付与できる。ただし炭素粉を加えると、周囲を汚す可能性がある。ニッケルメッキを施した糸は安価であるが、基布１０に覆われて皮膚に直接触れないとはいえ、人体に刺激を加える可能性がある。
【００１４】
図２は変形例の施術具を示し、基布１１は炭素糸を織り込んだ導電性の丈夫な布で、炭素糸４による導電性を補う作用も有る。また中間層１２と裏地１４，及びリング１６を省略してある。なお突起６を硬くすると共に、突起６から人体に刺激を加えることができるように、糊等により突起６、及び基布１０，１１中の突起６の底部にある部分を固めても良い。図１の実施例に関する記載は、中間層１２と裏地１４、及びリング１６が無い点を除き、図２の変形例にもそのまま当てはまる。
【００１５】
図３は実施例で用いた突起６の構造を示す。手刺繍でのフレンチノットにより突起６を構成し、１８は炭素糸４が基布１０の表面側へ突き出す基端、１９は炭素糸４が基布１０の裏面側へ戻る終端で、この間で炭素糸４のループが例えば３重に設けられ、炭素糸４はノットを構成している。そして図３の状態から、炭素糸４を引いて絞ると、硬い突起６となる。
【００１６】
図４はジャーマンノット２０から成る突起を示し、２１は基布から表面側へ飛び出したループで、２２はその基端、２３は終端である。ループ２１に、インクノット２４が固定され、２５はその基端、２６はその終端である。図４の状態からインクノット２４を締めると、硬い突起となる。
【００１７】
図５はバリオンステッチ３０を突起に用いる例を示し、３１は基端、３２は終端で、バリオンステッチ３０は基端３１から終端３２へのループに炭素糸が巻き付いた構造の結び目である。そして基端３１と終端３２とから先端３３へ突き出す突起となる。
【００１８】
図６，図７は機械刺繍による突起４０を示し、製作が容易であるが、手刺繍による突起（図３〜図５）程、高く細い突起にはしにくい。刺繍ミシン等を用い、小径の下層４１，中径の中層４２，大径の上層４３が例えば同芯に３重に重ねてあり、好ましくは炭素糸４に遊びを設けて、基布１０から突き出す炭素糸の量を多くする。この技法は、サテンと呼ばれるものの応用である。すると３層の炭素糸の厚さ＋遊び分の突起４０となる。
【００１９】
図８は施術具２の全体を示し、施術具２は例えばヘッドギアあるいは帽子状の形状であるが、単なるシート状にして、マジックテープ（登録商標）等で閉じるようにすると、腕、脚等に施術でき、施術具２の形状は任意である。ヘッドギアの内側の頭皮に接する側が基布１０で、反対側が裏地１４である。基布１０側に突起６が多数配列され、これらは炭素糸により直列に接続され、あるいは導電性の基布１１、もしくは導電性の中間層１２等により、互いに電気的に接続されている。炭素糸の一端が配線５１に接続され、端子５０を介して、電位治療器本体５２に接続されて、−２００Ｖ等の電位を突起６に加える。
【００２０】
図９は突起６間の電気的接続を示し、基本的には炭素糸４により直列に多数の突起６が電気的に接続され、所望により導電性の基布１１もしくは導電性の中間層１２により電気的に接続される。
【００２１】
実施例では、以下の作用が得られる。
1)  簡単に導電性の突起６を作成し、これらを互いに電気的に接続できる。金属の配線を施術具内に施す場合と違い、施術具がゴワゴワとしない。
2)  炭素糸４の突起６はアレルギー等の原因とならない。
3)  突起６を炭素糸４の結び目で構成すると、硬く高い突起となる。従って皮膚に適度な刺激を与えることができる。
4)  導電性の基布もしくは導電性の中間層を用いると、炭素糸４が一部で切れても、施術具２の機能が損なわれない。
【符号の説明】
【００２２】
２          施術具
４          炭素糸
６          突起
８          固定部
１０，１１  基布
１２        中間層
１４        裏地
１６        リング
１８        基端
１９        終端
２０        ジャーマンノット
２１        ループ
２２，２５  基端
２３，２６  終端
２４        インクノット
３０        バリオンステッチ
３１        基端
３２        終端
３３        先端
４０        突起
４１        下層
４２        中層
４３        上層
５０        端子
５１        配線
５２        電位治療器本体
【図１】
2015136489.tif 000003
【図２】
2015136489.tif 000004
【図３】
2015136489.tif 000005
【図４】
2015136489.tif 000006
【図５】
2015136489.tif 000007
【図６】
2015136489.tif 000008
【図７】
2015136489.tif 000009
【図８】
2015136489.tif 000010
【図９】
2015136489.tif 000011